【手続補正書】
【提出日】平成17年9月29日(2005.9.29)
【手続補正１】
【補正対象書類名】明細書
【補正対象項目名】発明の名称
【補正方法】変更
【補正の内容】
【発明の名称】情報処理装置、情報処理方法及びコンテンツ配信サーバ並びにその制御方法
【手続補正２】
【補正対象書類名】明細書
【補正対象項目名】特許請求の範囲
【補正方法】変更
【補正の内容】
【特許請求の範囲】
【請求項１】  ａ）複数のオブジェクトデータと前記オブジェクトデータの知的財産管理データとが多重化された情報データストリームをコンテンツ配信サーバから受信するステップと、
ｂ）前記受信した前記知的財産管理データに基づいて、前記オブジェクトデータの認証を行うステップと、
ｃ）前記認証の結果を示すデータと、前記情報データストリームの最初からの再送を要求する再送要求データとを前記コンテンツ配信サーバへ送信するステップと、
ｄ）前記コンテンツ配信サーバから再送された前記情報データストリームを受信するステップと、
ｅ）前記再送された情報データストリームを再生するステップ、
とを有することを特徴とする情報処理方法。
【請求項２】  前記情報データストリームは、ＭＰＥＧ−４符号化方式に準拠したビットストリームデータであることを特徴とする請求項１記載の情報処理方法。
【請求項３】  前記送信するステップでは、ＭＰＥＧ−４ビットストリームのアップストリームを使用することを特徴とする請求項２記載の情報処理方法。
【請求項４】  ａ）複数のオブジェクトデータと前記オブジェクトデータの知的財産管理データとが多重化された情報データストリームを、クライアントに送信するステップと、
ｂ）前記オブジェクトデータの認証結果を示すデータと、前記情報データストリームの再送を要求する再送要求データとを、前記クライアントから受信するステップと、
ｃ）前記認証結果を示すデータと、前記再送要求データとに基づいて、前記情報データストリームを最初から再送するステップ、
とを有することを特徴とする、コンテンツ配信サーバの制御方法。
【請求項５】  ａ）複数のオブジェクトデータと前記オブジェクトデータの知的財産管理データとが多重化された情報データストリームをコンテンツ配信サーバから受信する手段と、
ｂ）前記受信した前記知的財産管理データに基づいて、前記オブジェクトデータの認証を行う手段と、
ｃ）前記認証の結果を示すデータと、前記情報データストリームの最初からの再送を要求する再送要求データとを前記コンテンツ配信サーバへ送信する手段と、
ｄ）前記コンテンツ配信サーバから再送された前記情報データストリームを受信する手段と、
ｅ）前記再送された情報データストリームを再生する手段、
とを有することを特徴とする情報処理装置。
【請求項６】  前記情報データストリームは、ＭＰＥＧ−４符号化方式に準拠したビットストリームデータであることを特徴とする請求項５記載の情報処理装置。
【請求項７】  前記送信する手段は、ＭＰＥＧ−４ビットストリームのアップストリームを使用することを特徴とする請求項６記載の情報処理装置。
【請求項８】  ａ）複数のオブジェクトデータと前記オブジェクトデータの知的財産管理データとが多重化された情報データストリームを、クライアントに送信する手段と、
ｂ）前記オブジェクトデータの認証結果を示すデータと、前記情報データストリームの再送を要求する再送要求データとを、前記クライアントから受信する手段と、
ｃ）前記認証結果を示すデータと、前記再送要求データとに基づいて、前記情報データストリームを最初から再送する手段、
とを有することを特徴とする、コンテンツ配信サーバ。
【手続補正３】
【補正対象書類名】明細書
【補正対象項目名】０００１
【補正方法】変更
【補正の内容】
【０００１】
【発明の属する技術分野】
本発明は、例えば、動画を再生する際に個々のオブジェクトに関して著作権保護等の目的で認証が必要となる場合に好適な、情報処理装置、情報処理方法及びコンテンツ配信サーバ並びにその制御方法に関するものである。
【手続補正４】
【補正対象書類名】明細書
【補正対象項目名】００１１
【補正方法】変更
【補正の内容】
【００１１】
【課題を解決するための手段】
本発明の第１の側面に係る情報処理方法は、ａ）複数のオブジェクトデータとオブジェクトデータの知的財産管理データとが多重化された情報データストリームをコンテンツ配信サーバから受信するステップと、ｂ）受信した知的財産管理データに基づいて、オブジェクトデータの認証を行うステップと、ｃ）認証の結果を示すデータと、情報データストリームの最初からの再送を要求する再送要求データとをコンテンツ配信サーバへ送信するステップと、ｄ）コンテンツ配信サーバから再送された情報データストリームを受信するステップと、ｅ）再送された情報データストリームを再生するステップ、とを具備したことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明の第２の側面に係るコンテンツ配信サーバの制御方法は、ａ）複数のオブジェクトデータとオブジェクトデータの知的財産管理データとが多重化された情報データストリームを、クライアントに送信するステップと、ｂ）オブジェクトデータの認証結果を示すデータと、情報データストリームの再送を要求する再送要求データとを、クライアントから受信するステップと、ｃ）認証結果を示すデータと、再送要求データとに基づいて、情報データストリームを最初から再送するステップ、とを具備したことを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
本発明の第３の側面に係る情報処理装置は、ａ）複数のオブジェクトデータとオブジェクトデータの知的財産管理データとが多重化された情報データストリームをコンテンツ配信サーバから受信する手段と、ｂ）受信した知的財産管理データに基づいて、オブジェクトデータの認証を行う手段と、ｃ）認証の結果を示すデータと、情報データストリームの最初からの再送を要求する再送要求データとをコンテンツ配信サーバへ送信する手段と、ｄ）コンテンツ配信サーバから再送された情報データストリームを受信する手段と、ｅ）再送された情報データストリームを再生する手段、とを具備したことを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
本発明の第４の側面に係るコンテンツ配信サーバは、ａ）複数のオブジェクトデータとオブジェクトデータの知的財産管理データとが多重化された情報データストリームを、クライアントに送信する手段と、ｂ）オブジェクトデータの認証結果を示すデータと、情報データストリームの再送を要求する再送要求データとを、クライアントから受信する手段と、ｃ）認証結果を示すデータと、再送要求データとに基づいて、情報データストリームを最初から再送する手段、とを具備したことを特徴とする。
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】